(57)【要約】【課題】本発明は、異なる画像処理装置における出力画像サイズの相違に応じた画像補正を行う。【解決手段】画像処理システム１は、１つの画像処理装置Ｇｓ１〜Ｇｓｎにおいて第１出力サイズで画像を出力した画像データを、他の画像処理装置Ｇｓ１〜Ｇｓｎに送って、該画像処理装置Ｇｓ１〜Ｇｓｎで第２出力サイズで画像出力する際に、両出力サイズの差に応じて色彩を補正するための補正パラメータを生成して、該補正パラメータに基づいて画像データを補正した後に、該他の画像処理装置Ｇｓ１〜Ｇｓｎで画像出力する。【選択図】          図１
2013048365.tif 000002
【特許請求の範囲】
【請求項１】
第１画像処理装置と第２画像処理装置との間で少なくとも画像データを授受する画像処理システムにおいて、
前記第１画像処理装置は、
画像データに基づいて所定の第１出力サイズで画像を出力する第１画像出力手段と、
前記第１画像出力手段で出力される画像の前記第１出力サイズを取得する第１出力サイズ取得手段と、
前記第１出力手段での画像出力に用いられる前記画像データと前記第１出力サイズ取得手段の取得した前記第１出力サイズを所定の媒体を用いて前記第２画像処理装置に渡すデータ出力手段と、
を備え、
前記第２画像処理装置は、
前記媒体を介して前記画像データと前記第１出力サイズを受け取るデータ受取手段と、
画像データに基づいて所定の第２出力サイズで画像を出力する第２画像出力手段と、
前記第２画像出力手段で出力される画像の前記第２出力サイズを取得する第２出力サイズ取得手段と、
前記第１出力サイズと前記第２出力サイズから画像の色彩補正用の補正パラメータを生成するパラメータ生成手段と、
前記データ受取手段の受け取った前記画像データに前記補正パラメータを用いて色彩補正を施して前記第２画像出力手段へ出力する画像補正手段と、
を備えていることを特徴とする画像処理システム。
【請求項２】
前記第１出力サイズ取得手段及び前記第２出力サイズ取得手段は、
前記第１画像出力手段及び前記第２画像出力手段による前記画像の実際の出力位置における該画像の出力サイズを取得することを特徴とする請求項１記載の画像処理システム。
【請求項３】
前記パラメータ生成手段は、
前記第１出力サイズと前記第２出力サイズの差に応じた補正パラメータを生成することを特徴とする請求項１または請求項２記載の画像処理システム。
【請求項４】
前記パラメータ生成手段は、
前記画像データ取得手段の取得した前記画像データの明度と彩度のうち少なくともいずれかにおいて、その大きさとその面積の大きさに応じて前記補正パラメータを生成することを特徴とする請求項１から請求項３のいずれかに記載の画像処理システム。
【請求項５】
前記画像形成システムは、
前記画像補正手段による前記画像データに対する前記色彩補正を、明度と彩度の両方またはいずれか一方について行うことを選択する補正対象選択手段を備えており、
前記画像補正手段は、
前記補正対象選択手段で選択された補正対象についてのみ前記色彩補正を行うことを特徴とする請求項１から請求項４のいずれかに記載の画像処理システム。
【請求項６】
前記画像形成システムは、
前記色彩補正の実施の可否を選択する選択手段を備えており、
前記画像補正手段は、
前記選択手段によって前記色彩補正の実施が選択されているときにのみ、該色彩補正を実行することを特徴とする請求項１から請求項５のいずれかに記載の画像処理システム。
【請求項７】
他の画像処理装置の第１画像出力手段において所定の第１出力サイズで画像出力された画像データと該第１画像出力手段で出力された画像の該第１出力サイズを受け取るデータ受取手段と、
画像データに基づいて所定の第２出力サイズで画像を出力する第２画像出力手段と、
前記第２画像出力手段で出力される画像の前記第２出力サイズを取得する第２出力サイズ取得手段と、
前記第１出力サイズと前記第２出力サイズから画像の色彩補正用の補正パラメータを生成するパラメータ生成手段と、
前記情報取得手段の取得した画像データに前記補正パラメータを用いて色彩補正を施して前記第２画像出力手段へ出力する画像補正手段と、
を備えていることを特徴とする画像処理装置。
【発明の詳細な説明】
【技術分野】
【０００１】
本発明は、画像処理システム及び画像処理装置に関し、詳細には、異なる画像処理装置における出力画像サイズの相違に応じた画像補正を行う画像処理システム及び画像処理装置に関する。
【背景技術】
【０００２】
複写装置、複合装置、イメージスキャナ、デジタルカメラ、プロジェクタ等の画像を出力する画像処理装置においては、出力する画像が、出力する画像処理装置毎に出力特性、例えば、表示出力においては、表示特性が異なるため、同じ画像データに基づいて画像を出力しても、人間の目にとって異なった画像として見える。この表示特性の相違は、画像処理装置毎の個体差、液晶ディスプレイとプロジェクタ等のような表示方式の相違、画像処理装置が基準としている色の相違等が原因となっているが、人間にとっての見え方の相違は、色彩のずれが大きく影響しているだけでなく、人間の視覚特性に大きく影響される。
【０００３】
すなわち、人間の視覚には、面積効果と呼ばれる特性があり、以下のような特徴がある。
【０００４】
（ａ）明度の強い色は、大きな面積になると、より明度が強く見える。
【０００５】
（ｂ）彩度の強い色は、大きな面積になると、より彩度が強く見える。
【０００６】
逆に、
（ｃ）明度の弱い色は、大きな面積になると、より明度が弱く見える。
【０００７】
（ｄ）彩度の弱い色は、大きな面積になると、より彩度が弱く見える。
【０００８】
すなわち、同じ画像を同じ画像処理装置で出力しても、表示する大きさが変わると、人間の目には異なる画像に見える。
【０００９】
そして、従来、入力画像を変倍して出力する際に、入力画像と出力画像との間の色彩の面積効果を補償するように、変倍前または変倍後の画像データの明度値をその変倍の倍率に応じて補正する画像処理装置が提案されている（特許文献１参照）。
【００１０】
すなわち、このような従来技術は、例えば、複写装置において、ユーザが操作表示部を操作して、画像の変倍率を指定操作し、この入力操作された変倍率に基づいて出力画像の色彩を補正するパラメータを決定して、該パラメータを用いて入力画像データに補正を行って画像出力している。
【発明の概要】
【発明が解決しようとする課題】
【００１１】
しかしながら、上記公報記載の従来技術にあっては、１つの装置内における画像の変倍率における色彩の面積効果を補償しているのみであるため、装置間で画像データがやり取りされて出力される場合については、考慮されておらず、改良の必要があった。
【００１２】
すなわち、今日、画像データは、ネットワークや携帯可能なメモリを介して画像処理装置間でやり取りされて異なる画像処理装置間で画像の表示出力等が行われるようになってきているとともに、液晶ディスプレイ、表示モニタ、プロジェクタ等の表示装置の微細化、大画面化、高精細化に伴って、異なる装置間で同じ画像を表示出力や記録出力するときに、大きさの差が拡大してきており、面積効果による色彩のずれが大きくなってきている。
【００１３】
ところが、上記公報記載の従来技術にあっては、異なる装置間で画像データを受け渡しして表示出力する場合における色彩の補正（カラーマネージメント）を行うことができないという問題があった。
【００１４】
例えば、デジタルカメラの液晶画面で見る画像と、その画像データをネットワークや可搬性メモリ等を介してプロジェクタに送って、プロジェクタで投影してみる画像とでは、画像の大きさが何十倍も異なるため、画像の見え方が、面積効果の影響を大きく受ける。
【００１５】
このような場合、画像処理装置の組み合わせは、膨大な数になるため、予め予測して色彩補正を行って保管しておくことは困難であるだけでなく、このような倍率をいちいち従来技術のように、ユーザが設定操作してパラメータを決定することは現実的な対応策とはならない。また、プロジェクタ等の投影装置は、投影装置の設定だけでなく、投影装置と投影画面との位置によって投影する画像の大きさが変化するため、ユーザが倍率を指定することが困難であり、色彩補正を適切に行う技術が要望されている。
【００１６】
そこで、本発明は、異なる装置間で出力する大きさの異なる画像の人間の視覚特性に対する色彩のずれを補正して、出力画像の再現性を向上させることを目的としている。
【課題を解決するための手段】
【００１７】
請求項１記載の画像処理システムは、上記目的を達成するために、第１画像処理装置と第２画像処理装置との間で少なくとも画像データを授受する画像処理システムにおいて、前記第１画像処理装置は、画像データに基づいて所定の第１出力サイズで画像を出力する第１画像出力手段と、前記第１画像出力手段で出力される画像の前記第１出力サイズを取得する第１出力サイズ取得手段と、前記第１出力手段での画像出力に用いられる前記画像データと前記第１出力サイズ取得手段の取得した前記第１出力サイズを所定の媒体を用いて前記第２画像処理装置に渡すデータ出力手段と、を備え、前記第２画像処理装置は、前記媒体を介して前記画像データと前記第１出力サイズを受け取るデータ受取手段と、画像データに基づいて所定の第２出力サイズで画像を出力する第２画像出力手段と、前記第２画像出力手段で出力される画像の前記第２出力サイズを取得する第２出力サイズ取得手段と、前記第１出力サイズと前記第２出力サイズから画像の色彩補正用の補正パラメータを生成するパラメータ生成手段と、前記データ受取手段の受け取った前記画像データに前記補正パラメータを用いて色彩補正を施して前記第２画像出力手段へ出力する画像補正手段と、を備えていることを特徴としている。
【発明の効果】
【００１８】
本発明によれば、異なる装置間で出力する大きさの異なる画像の人間の視覚特性に対する色彩のずれを補正して、出力画像の再現性を向上させることができる。
【図面の簡単な説明】
【００１９】
【図１】本発明の一実施例を適用した画像形成システムのシステム構成図。
【図２】画像生成装置としての画像処理装置の機能ブロック図。
【図３】画像出力装置としての画像処理装置のブロック構成図。
【図４】画像出力装置としての画像処理装置の機能ブロック図。
【図５】補正パターン生成処理の説明図。
【図６】画像生成装置における画像処理を示すフローチャート。
【図７】画像出力装置における画像処理を示すフローチャート。
【発明を実施するための形態】
【００２０】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００２１】
図１〜図７は、本発明の画像処理システム及び画像処理装置の一実施例を示す図であり、図１は、本発明の画像処理システム及び画像処理装置の一実施例を適用した画像処理システム１のシステム構成図である。
【００２２】
図１において、画像処理システム１は、複数の画像処理装置Ｇｓ１〜Ｇｓｎが、有線または無線のネットワークＮＷに接続されており、ネットワークＮＷとしては、イーサネット（登録商標）等のＬＡＮ（Local Area Network）等が用いられる。
【００２３】
画像処理装置Ｇｓ１〜Ｇｓｎは、スキャナ装置、複写装置、プリンタ装置、複合装置、プロジェクタ、デジタルカメラ等の画像を入力する装置、画像を出力する装置、画像を入出力する装置である。
【００２４】
画像形成システム１は、画像生成機能を有する画像処理装置Ｇｓ１〜Ｇｓｎが、画像生成して自己の画像出力機能部で所定の出力サイズ（第１出力サイズ）で出力した画像データを、ネットワークＮＷや可搬性メモリを介して他の画像処理装置Ｇｓ１〜Ｇｓｎに送信し、該他の画像処理装置Ｇｓ１〜Ｇｓｎが画像を所定の出力サイズ（第２出力サイズ）で出力する。
【００２５】
なお、以下の説明では、画像出力が、表示出力である場合について説明するが、画像出力が、用紙等への記録出力である場合にも、同様に適用することができる。
【００２６】
また、以下の説明において、画像処理装置Ｇｓ１〜Ｇｓｎのうち、画像を生成して自己の装置で表示出力した後、他の画像処理装置Ｇｓ１〜Ｇｓｎに送信する画像処理装置Ｇｓ１〜Ｇｓｎを、画像生成装置（第１画像処理装置）Ｇａとし、送信されてきた画像データに基づいて画像を表示出力する他の画像処理装置Ｇｓ１〜Ｇｓｎを、画像出力装置（第２画像処理装置）Ｇｂとして説明する。
【００２７】
画像形成システム１は、画像を生成する画像処理装置Ｇｓ１〜Ｇｓｎである画像生成装置Ｇａが、図２に示すような機能ブロックを備えている。
【００２８】
すなわち、画像生成装置Ｇａは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の画像生成装置用の画像処理プログラムが導入されることで、図２に示すように、ユーザ操作機能部１１、画像入力機能部１２、サイズ検出機能部１３、ネットワーク制御機能部１４及び画像出力機能部１５等が構築される。この画像処理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２９】
ユーザ操作機能部１１は、画像処理装置Ｇｓ１〜Ｇｓｎの操作表示部等で構築され、操作キーや操作画面等を有して、画像の入力方式の種別選択操作、本発明の画像補正処理機能のオン／オフ操作、ネットワーク接続の設定操作、画像を出力する画像処理装置Ｇｓ１〜Ｇｓｎの指定操作等が行われる。
【００３０】
画像入力機能部１２は、ユーザ操作機能部１１の操作に応じて、スキャナ、デジタルカメラ等の読み取ったり、撮影したりして、デジタルの画像データとして画像生成装置Ｇａ内に取り込んで、サイズ検出機能部１３、ネットワーク制御部１４及び画像出力機能部１５に渡す。
【００３１】
画像出力機能部（第１画像出力手段）１５は、液晶モニタ、照射レンズ等を用いた投影部等で構築され、画像入力機能部１２の取り込んだ画像データに基づいて、画像を所定の出力サイズ（第１出力サイズ）で直接表示または投影表示等を行う。
【００３２】
サイズ検出機能部（第１出力サイズ取得手段）１３は、画像入力機能部１２が取り込んだ画像を画像出力機能部１５で表示する際の出力サイズ（第１出力サイズ）を検出する。サイズ検出機能部１３は、この第１出力サイズを、ユーザ操作機能部１１の設定操作や画像出力機能部１５の機能等に基づいて検出する。サイズ検出機能部１３は、例えば、画像出力機能部１５が、液晶モニタである場合には、液晶モニタに表示される画像のサイズを検出し、画像出力機能部１５が、投影部である場合には、投影先の位置（投影位置）までの距離と照射レンズ等の投影倍率から求めたサイズまたは直接投影位置の画像の大きさを検出する。
【００３３】
ネットワーク制御機能部（データ出力手段）１４は、ネットワークＮＷに接続され、画像入力機能部１２が取り込んだ画像データとサイズ検出機能部１３の検出した第１出力サイズを、ユーザ操作機能部１１で指定された出力先の画像処理装置Ｇｓ１〜Ｇｓｎである画像出力装置Ｇｂに、ネットワークＮＷを介して送信する。なお、本実施例では、画像生成装置Ｇａから画像出力装置Ｇｂへ画像データ及び第１出力サイズを送るのに、ネットワークＮＷを利用しているが、ネットワークＮＷを利用するものに限るものではなく、例えば、画像データ及び第１出力サイズをＳＤカード等の可搬性メモリに格納して、画像生成装置Ｇａで可搬性メモリから画像データ及び第１出力サイズを読み取らせて送ってもよい。
【００３４】
なお、上記説明では、画像生成装置Ｇａが、ユーザ操作機能部１１で指定された画像出力装置Ｇｂに画像データ及び第１出力サイズを送っているが、画像出力先の画像処理装置Ｇｓ１〜Ｇｓｎである画像出力装置Ｇｂから画像生成装置Ｇａに画像の要求を送って、画像生成装置Ｇａが該画像要求に応じて画像データ及び第１出力サイズを該画像出力装置Ｇｂに渡してもよい。
【００３５】
画像形成システム１は、画像を出力する画像処理装置Ｇｓ１〜Ｇｓｎである画像出力装置Ｇｂが、図３に示すようにブロック構成されており、ＣＰＵ（Central Processing Unit ）２１、記憶部２２、操作入力部２３、外部インターフェイス部２４、画像入力部２５及び画像出力部２６等を備えている。これらＣＰＵ２１、記憶部２２、操作入力部２３、外部インターフェイス部２４、画像入力部２５及び画像出力部２６は、バス２７により接続されている。
【００３６】
記憶部２２は、ＲＯＭ（Read Only Memory）、ＲＡＭ（Random Access Memory）等で構成され、プログラムやシステムデータ、特に、本発明の画像処理プログラム等を記憶するとともに、ＣＰＵ２１のワークメモリとして利用される。
【００３７】
ＣＰＵ（パラメータ生成手段、画像補正手段、第２出力サイズ取得手段）２１は、記憶部２２内のプログラムに基づいて記憶部２２をワークメモリとして利用しつつ、画像出力装置Ｇｂの各部を制御して、画像出力装置Ｇｂとしての機能を実行するとともに、本発明の画像処理装置としての機能を実行する。
【００３８】
操作入力部（補正対象選択手段、選択手段）２３は、操作キーや操作画面等を有して、画像の入力方式の種別選択操作、本発明の画像補正処理機能のオン／オフ操作、ネットワーク接続の設定操作、画像を出力する出力方式の設定操作等が行われる。
【００３９】
外部インターフェイス部（データ受取手段）２４は、ネットワークＮＷに接続され、ネットワークＮＷを介して、他の画像処理装置Ｇｓ１〜Ｇｓｎとの間でデータ及びコマンドの授受、特に、上記画像生成装置Ｇａとの間で、上記画像データ及び第１出力サイズの授受を行う。なお、外部インターフェイス部２４は、ネットワークＮＷに接続されてネットワークインターフェイスとして機能するインターフェイスに限るものではなく、例えば、ＳＤカード等の可搬性メモリのインターフェイスであって、可搬性メモリのデータの読み取りや書き込みを行ってもよい。
【００４０】
画像入力部２５は、画像生成装置Ｇａで生成されて外部インターフェイス部２４が取得した画像データ及び第１出力サイズを取得する。
【００４１】
ＣＰＵ２１は、画像入力部２５が取得した画像データに対して、後述のように画像サイズの変換及び色彩補正を行って画像出力部２６に渡す。ＣＰＵ２１は、この場合、操作入力部２３での操作等に基づいて、画像出力部２６での画像の表示出力における出力サイズ（第２出力サイズ）を検出し、第１出力サイズと第２出力サイズに基づいて色彩補正を行う。ＣＰＵ２１は、第１出力サイズと第２出力サイズに基づく色彩補正においては、特に、第１出力サイズと第２出力サイズの差に応じた補正パラメータを生成し、該補正パラメータに基づいて、画像入力部２５が取得した画像データに対して色彩の補正を行う。また、ＣＰＵ２１は、この色彩補正においては、画像データの明度と彩度のうち、少なくともいずれかにおいて、その大きさとその面積の大きさに応じて上記補正パラメータを生成する。さらに、ＣＰＵ２１は、操作入力部２３からの指示入力に応じて、画像入力部２５が取得した画像データに対する色彩補正を、明度と彩度の両方またはいずれか一方について行う。そして、ＣＰＵ２１は、この明度、彩度の補正において、例えば、明度と彩度のそれぞれに対する補正パラメータを生成し、画像入力機能部２５が取得した画像データ、例えば、ＲＧＢ（赤（Red）、緑（Green）、青（Blue））の画像データを、明度、彩度、色相に変換して、該画像データの明度と彩度に対して、上記補正パラメータに基づいて、明度を上げる補正、彩度を上げる補正、明度を下げる補正、彩度を下げる補正等を行う。
【００４２】
画像出力部（第２画像出力手段）２６は、液晶モニタや照射レンズ等を用いた投影部等であり、ＣＰＵ２１から渡された画像データに基づいて画像を表示出力する。
【００４３】
そして、画像出力装置Ｇｂは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明の画像出力装置における画像処理方法を実行する画像処理プログラムを読み込んで記憶部に導入することで、後述する画像の拡大／縮小サイズに応じた色彩補正を適切に行う画像処理方法を実行する画像処理装置として構築されている。この画像処理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００４４】
画像出力装置Ｇｂは、上記画像処理プログラムが導入されることで、図４に示すように機能ブロックが構築される。すなわち、画像出力装置Ｇｂは、図４に示すように、ユーザ操作機能部３１、ネットワーク制御機能部３２、画像入力機能部３３、サイズ入力機能部３４、サイズ検出機能部３５、補正パラメータ生成機能部３６、画像補正機能部３７及び画像出力機能部３８等が構築されている。
【００４５】
ユーザ操作機能部（補正対象選択手段、選択手段）３１は、操作入力部２３で構築され、上述のように、操作キーや操作画面等を有して、画像の入力方式の種別選択操作、本発明の画像補正処理機能のオン／オフ操作、ネットワーク接続の設定操作、画像を出力する出力方式の設定操作等が行われる。
【００４６】
ネットワーク制御機能部（データ受取手段）３２は、外部インターフェイス部２４で構築され、上述のように、ネットワークＮＷを介して、他の画像処理装置Ｇｓ１〜Ｇｓｎとの間でデータ及びコマンドの授受、特に、上記画像生成装置Ｇａとの間で、上記画像データ及び第１出力サイズの授受を行う。
【００４７】
画像入力機能部３３は、画像入力部２５で構築され、上述のように、ネットワーク制御機能部３２が取得した画像データを取得して画像補正機能部３７に渡す。
【００４８】
サイズ入力機能部３４は、ＣＰＵ２１によって構成され、ネットワーク制御機能部３２が取得した画像生成装置Ｇａから送られてきた第１出力サイズを取得して、補正パラメータ生成機能部３６に渡す。画像生成装置Ｇａのサイズ検出機能部１３とネットワーク制御機能部１４及びネットワーク制御機能部３２と画像入力機能部３３は、全体として、画像データ取得手段として機能している。
【００４９】
サイズ検出機能部（第２出力サイズ取得手段）３５は、ＣＰＵ２１によって構成され、ユーザ操作機能部３１の操作に応じて画像出力機能部３８で実際に出力される画像の出力サイズ（以下、第２出力サイズという。）を検出して、補正パラメータ生成機能部３６に出力する。サイズ検出機能部３５は、この第２出力サイズを、例えば、画像出力機能部３８が、液晶モニタである場合には、液晶モニタに表示される画像のサイズを検出し、画像出力機能部３８が、投影部である場合には、投影先の位置（投影位置）までの距離と照射レンズ等の投影倍率から求めたサイズまたは直接投影位置の画像の大きさを検出する。
【００５０】
補正パラメータ生成機能部（パラメータ生成手段）３６は、ＣＰＵ２１によって構成され、サイズ入力機能部３４からの第１出力サイズとサイズ検出機能部３５からの第２出力サイズに基づいて、画像補正機能部３７で、画像データに対して色彩補正を行うための補正パラメータを生成する。例えば、補正パラメータ生成機能部３６は、図５（ａ）に示すように、元画像の明度と彩度の出力の画像ヒストグラムに対して、第１出力サイズと第２出力サイズを減算した結果が、元画像である画像生成装置Ｇａが生成した画像を縮小して画像出力機能部３８で画像出力する場合には、図５（ｂ）に示すように、明度及び彩度の大きさと面積に基づいて補正する補正パラメータを生成し、元画像である画像生成装置Ｇａが生成した画像を拡大して画像出力機能部３８で画像出力する場合には、図５（ｃ）に示すように、明度及び彩度の大きさと面積に基づいて補正する補正パラメータを生成する。
【００５１】
すなわち、補正パラメータ生成機能部３６は、以下のように補正パラメータを生成する。
【００５２】
（１）画像縮小の場合には、
（１−１）明度の補正パラメータに対しては、
（ａ）明度の大きい色は、小さな面積になると、より明度が小さく見えるため、明度が大きいほど補正によって大きくする補正パラメータを生成する。
【００５３】
（ｂ）明度の小さい色は、小さな面積になると、より明度が大きく見えるため、明度が小さいほど補正によって小さくする補正パラメータを生成する。
【００５４】
（１−２）彩度の補正パラメータに対しては、
（ａ）彩度の大きい色は、小さな面積になると、より彩度が小さく見えるため、彩度が大きいほど補正によって大きくする補正パラメータを生成する。
【００５５】
（ｂ）彩度の小さい色は、小さな面積になると、より彩度が大きく見えるため、彩度が小さいほど補正によって小さくする補正パラメータを生成する。
【００５６】
（２）画像拡大の場合には、
（２−１）明度の補正パラメータに対しては、
（ａ）明度の大きい色は、大きな面積になると、より明度が大きく見えるため、明度が大きいほど補正によって小さくする。
【００５７】
（ｂ）明度の小さい色は、大きな面積になると、より明度が小さく見えるため、明度が小さいほど補正によって大きくする。
【００５８】
（２−２）彩度の補正パラメータに対しては、
（ａ）彩度の大きい色は、大きな面積になると、より彩度が大きく見えるため、彩度が大きいほど補正によって小さくする。
【００５９】
（ｂ）彩度の小さい色は、大きな面積になると、より彩度が小さく見えるため、彩度が小さいほど補正によって大きくする。
【００６０】
補正パラメータ生成機能部３６は、上述のようにして生成した補正パラメータを画像補正機能部３７に出力する。
【００６１】
画像補正機能部（画像補正手段）３７は、ＣＰＵ２１によって構成され、画像入力機能部３３から入力される画像データに対して、補正パラメータ生成機能部３６から入力される補正パラメータに従って、色彩補正を行って、画像出力機能部３８に出力する。この明度、彩度の補正においては、例えば、補正パラメータ生成機能部３６が、明度と彩度のそれぞれに対する補正パラメータを上述のようにして生成して、画像補正機能部３７に出力し、画像補正機能部３７が、画像入力機能部３３から入力される画像データ、例えば、ＲＧＢの画像データを、明度、彩度、色相に変換して、該画像データの明度と彩度に対して、補正パラメータ生成機能部３６からの補正パラメータに基づいて、明度を上げる補正、彩度を上げる補正、明度を下げる補正、彩度を下げる補正等を行う。
【００６２】
画像出力機能部（第２画像出力手段）３８は、画像出力部２６によって構成され、液晶モニタや照射レンズ等を用いた投影部に、画像補正機能部３７から渡された画像データに基づいて画像を表示出力する。
【００６３】
次に、本実施例の作用を説明する。本実施例の画像処理システム１は、異なる装置間で出力する大きさの異なる画像の人間の視覚特性に対する色彩のずれを効率的にかつ適切に補正して、出力画像の再現性を容易に向上させる。
【００６４】
すなわち、画像形成システム１は、画像処理装置Ｇｓ１〜Ｇｓｎのうちの１つを画像生成装置Ｇａとして画像データを生成するとともに、画像を第１出力サイズで表示し、この第１出力サイズの画像データを、他の画像処理装置Ｇｓ１〜Ｇｓｎのうちの１つを画像出力装置Ｇｂとして第２出力サイズで表示出力するが、この際に、第２出力サイズで表示する画像データに両出力サイズ差に応じた補正パラメータに基づいて色彩補正を施した後に、表示出力する。
【００６５】
まず、画像生成装置Ｇａにおける画像処理について、図６に基づいて説明する。画像生成装置Ｇａは、ユーザ操作機能部１１で、画像の入力方式の種別選択操作、本発明の画像補正処理機能のオン／オフ操作、ネットワーク接続の設定操作、画像を出力する画像処理装置Ｇｓ１〜Ｇｓｎの指定操作等が行われると（ステップＳ１０１）、サイズ検出機能部１３が、画像出力機能部１５での画像の表示出力サイズである第１出力サイズを検知する（ステップＳ１０２）。
【００６６】
画像生成装置Ｇａは、画像入力機能部１２が、ユーザ操作機能部１１の操作に応じて、スキャナ、デジタルカメラ等の取得した画像をデジタルの画像データとして生成し（ステップＳ１０３）、画像出力機能部１５が画像入力機能部１２が生成した画像データに基づいて第１出力サイズの画像を表示出力する（ステップＳ１０４）。
【００６７】
そして、画像生成装置Ｇａは、ネットワーク制御機能部１４が画像入力機能部１２の生成した画像データと画像出力機能部１５で出力した第１出力サイズをネットワークＮＷを介して画像出力装置Ｇｂに送信する。
【００６８】
画像出力装置Ｇｂは、図７に示すように、まず、ユーザ操作機能部３１で、画像の入力方式の種別選択操作、本発明の画像補正処理機能のオン／オフ操作、ネットワーク接続の設定操作、画像を出力する出力方式の設定操作等が行われると（ステップＳ２０１）、サイズ検出機能部３５が、画像出力機能部３８での画像出力サイズである第２出力サイズを検知して補正パラメータ生成機能部３６に渡す（ステップＳ２０２）。
【００６９】
画像出力装置Ｇｂは、ネットワーク制御機能部３２がネットワークＮＷを介して画像生成装置Ｇａから送られてくる画像データを取得して画像補正機能部３７に渡し（ステップＳ２０３）、また、ネットワーク制御機能部３２がネットワークＮＷを介して画像生成装置Ｇａから受け取った第１出力サイズをサイズ入力機能部３４が取得して補正パラメータ生成機能部３６に渡す（ステップＳ２０４）。
【００７０】
画像出力装置Ｇｂは、補正パラメータ生成機能部３６が、サイズ入力機能部３４からの第１出力サイズとサイズ検出機能部３５からの第２出力サイズが同じサイズであるか、すなわち、一致するか判断し（ステップＳ２０５）、一致しないとき（ステップＳ２０５で、ＮＯのとき）には、第１出力サイズと第２出力サイズの差から上述のように補正パラメータを生成して画像補正機能部３７に出力する（ステップＳ２０６）。補正パラメータ生成機能部３６は、第１出力サイズ＜第２出力サイズであると、画像拡大であると判断し、第１出力サイズ＞第２出力サイズであると、画像縮小であると判断する。また、補正パラメータ生成機能部３６は、第１出力サイズ＝第２出力サイズであると、画像出力サイズに変化がないと判断する。
【００７１】
この場合、補正パラメータ生成機能部３６は、画像データの明度と彩度の少なくともいずれかにおいて、その大きさと面積の大きさに応じて補正パラメータを生成する。
【００７２】
また、ユーザ操作機能部３１においてユーザによって明度と彩度の両方、明度と彩度の一方についてのみ補正することが設定されると、画像補正機能部３７が、設定に応じた補正を行い、あるいは、補正パラメータ生成機能部３６が、該設定に応じた補正パラメータを生成して画像補正機能部３７に出力する。
【００７３】
さらに、補正パラメータ生成機能部３６は、ユーザ操作機能部３１においてユーザによって画像補正が選択されているときにのみ、補正パラメータを生成して画像補正機能部３７に出力し、画像補正が選択されていないときには、補正パラメータの生成を行わない。
【００７４】
画像出力装置Ｇｂは、画像補正機能部３７が、画像入力機能部３３から入力される画像データに対して、補正パラメータ生成機能部３６から入力される補正パラメータを使用して色彩の補正を行って、画像出力機能部３８に出力し（ステップＳ２０７）、画像出力機能部３８が、画像補正機能部３７で補正された画像データに基づいて第２出力サイズで画像を表示出力する（ステップＳ２０８）。
【００７５】
そして、画像出力装置Ｇｂは、ステップＳ２０５で、第１出力サイズと第２出力サイズが一致しているとき（ステップＳ２０５で、ＹＥＳのとき）には、補正パラメータ生成機能部３６が、画像生成装置Ｇａでの表示出力サイズと画像出力装置Ｇｂでの表示出力サイズに変化がないと判断して、画像補正機能部３７で画像補正を行うことなく、画像出力機能部３８で画像を表示出力する（ステップＳ２０８）。
【００７６】
このように、本実施例の画像処理システム１は、画像処理装置Ｇｓ１〜Ｇｓｎ、特に、画像処理装置（第１画像処理装置）Ｇａと画像処理装置（第２画像処理装置）Ｇｂとの間で少なくとも画像データを授受する画像処理システム１において、画像処理装置Ｇａは、画像データに基づいて所定の第１出力サイズで画像を出力する画像出力機能部（第１画像出力手段）１５と、画像出力機能部１５で出力される画像の前記第１出力サイズを取得するサイズ検出機能部（第１出力サイズ取得手段）１３と、画像出力機能部１５での画像出力に用いられる前記画像データとサイズ検出機能部１３の取得した前記第１出力サイズをネットワークＮＷ等の所定の媒体を用いて画像処理装置Ｇｂに渡すネットワーク制御機能部（データ出力手段）１４と、を備え、画像処理装置Ｇｂは、前記媒体を介して前記画像データと前記第１出力サイズを受け取る外部インターフェイス部２４やネットワーク制御機能部３２のデータ受取手段と、画像データに基づいて所定の第２出力サイズで画像を出力する画像出力部２６や画像出力機能部３８の第２画像出力手段と、前記第２画像出力手段で出力される画像の前記第２出力サイズを取得するＣＰＵ２１やサイズ検出機能部３５の第２出力サイズ取得手段と、前記第１出力サイズと前記第２出力サイズから画像の色彩補正用の補正パラメータを生成するＣＰＵ２１や補正パラメータ生成機能部３６のパラメータ生成手段と、前記データ受取手段の受け取った前記画像データに前記補正パラメータを用いて色彩補正を施して前記第２画像出力手段へ出力するＣＰＵ２１や画像補正機能部３８の画像補正手段と、を備えている。
【００７７】
したがって、異なる画像処理装置Ｇｓ１〜Ｇｓｎ間で出力する大きさの異なる画像の人間の視覚特性に対する色彩のずれを補正することができ、出力画像の再現性を向上させることができる。
【００７８】
また、本実施例の画像出力装置Ｇｂとしての画像処理装置Ｇｓ１〜Ｇｓｎは、他の画像処理装置Ｇｓ１〜Ｇｓｎである画像生成装置Ｇａの画像出力機能部１５において所定の第１出力サイズで画像出力された画像データと該画像出力機能部１５で出力された画像の該第１出力サイズを受け取る外部インターフェイス部２４やネットワーク制御機能部３２のデータ受取手段と、画像データに基づいて所定の第２出力サイズで画像を出力する画像出力部２６や画像出力機能部３８の第２画像出力手段と、前記第２画像出力手段で出力される画像の前記第２出力サイズを取得するＣＰＵ２１やサイズ検出機能部３５の第２出力サイズ取得手段と、前記第１出力サイズと前記第２出力サイズから画像の色彩補正用の補正パラメータを生成するＣＰＵ２１や補正パラメータ生成機能部３６のパラメータ生成手段と、前記データ受取手段の受け取った前記画像データに前記補正パラメータを用いて色彩補正を施して前記第２画像出力手段へ出力するＣＰＵ２１や画像補正機能部３８の画像補正手段と、を備えている。
【００７９】
したがって、他の画像処理装置Ｇｓ１〜Ｇｓｎで出力された画像を自己の画像処理装置Ｇｓ１〜Ｇｓｎで出力する場合の人間の視覚特性に対する色彩のずれを補正することができ、出力画像の再現性を向上させることができる。
【００８０】
さらに、本実施例の画像形成システム１は、サイズ検出機能部１３及びサイズ検出機能部３５が、画像出力機能部１５及び画像出力機能部３８による前記画像の実際の出力位置における該画像の出力サイズを取得している。
【００８１】
したがって、実際に出力される画像のサイズを正確に検出することができ、異なる装置間で出力する大きさの異なる画像の人間の視覚特性に対する色彩のずれを効率的にかつより一層適切に補正して、出力画像の再現性をより一層向上させることができる。
【００８２】
また、本実施例の画像形成システム１は、補正パラメータ生成機能部３６が、前記第１出力サイズと前記第２出力サイズの差に応じた補正パラメータを生成している。
【００８３】
したがって、異なる装置間で出力する大きさ異なる画像の人間の視覚特性に対する色彩のずれを効率的にかつより一層適切に補正することができ、出力画像の再現性を容易により一層向上させることができる。
【００８４】
さらに、本実施例の画像形成システム１は、補正パラメータ生成機能部３６が、画像入力機能部３３の取得した画像データの明度と彩度のうち少なくともいずれかにおいて、その大きさとその面積の大きさに応じて前記補正パラメータを生成している。
【００８５】
したがって、異なる装置間で出力する大きさ異なる画像の人間の視覚特性に対する色彩のずれを効率的にかつより一層適切に補正することができ、出力画像の再現性を容易により一層向上させることができる。
【００８６】
また、本実施例の画像形成システム１は、画像補正機能部３７による画像データに対する色彩補正を、明度と彩度の両方またはいずれか一方について行っている。
【００８７】
したがって、ユーザの出力画像に対する意図や利用性等に応じて、画像補正を選択することができ、利用性を向上させつつ、異なる装置間で出力する大きさ異なる画像の人間の視覚特性に対する色彩のずれを効率的にかつより一層適切に補正することができる。
【００８８】
さらに、本実施例の画像形成システム１は、色彩補正の実施の可否を選択するユーザ操作機能部（選択手段）３１を備えており、画像補正機能部（画像補正手段）３８が、ユーザ操作機能部３１によって色彩補正の実施が選択されているときにのみ、該色彩補正を実行している。
【００８９】
したがって、ユーザの利用性等に応じて、画像補正の実行の有無を選択することができ、利用性を向上させつつ、異なる装置間で出力する大きさ異なる画像の人間の視覚特性に対する色彩のずれを効率的にかつより一層適切に補正することができる。
【００９０】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００９１】
１  画像処理システム
Ｇｓ１〜Ｇｓｎ  画像処理装置
ＮＷ  ネットワーク
Ｇａ  画像生成装置
Ｇｂ  画像出力装置
１１  ユーザ操作機能部
１２  画像入力機能部
１３  サイズ検出機能部
１４  ネットワーク制御機能部
１５  画像出力機能部
２１  ＣＰＵ
２２  記憶部
２３  操作入力部
２４  外部インターフェイス部
２５  画像入力部
２６  画像出力部
２７  バス
３１  ユーザ操作機能部
３２  ネットワーク制御機能部
３３  画像入力機能部
３４  サイズ入力機能部
３５  サイズ検出機能部
３６  補正パラメータ生成機能部
３７  画像補正機能部
３８  画像出力機能部
【先行技術文献】
【特許文献】
【００９２】
【特許文献１】特開２００１−３３９６０２号公報
【図１】
2013048365.tif 000003
【図２】
2013048365.tif 000004
【図３】
2013048365.tif 000005
【図４】
2013048365.tif 000006
【図５】
2013048365.tif 000007
【図６】
2013048365.tif 000008
【図７】
2013048365.tif 000009